(57)【要約】【課題】下面パネルの意匠の自由度を向上させた、天井埋込型又は天井吊下型の空気調和装置の室内機を提供する。【解決手段】室内機１は、下面パネル５と、下面パネル５に設けられる吸込口６と、運転停止時に吸込口６を塞ぐ可動パネル７と、駆動手段１０とを備えている。駆動手段１０は、可動パネル７を移動あるいは回転させる。運転時に、可動パネル７が、移動あるいは回転し下面パネル５の下面よりも上方へ引っ込む。【選択図】図３
2007285629.tif 000002
【特許請求の範囲】
【請求項１】
天井埋込型又は天井吊下型の空気調和装置の室内機であって、
下面を構成する下面パネル（５，２５，３５，４５，５５，６５，７５）と、
前記下面パネル（５，２５，３５，４５，５５，６５，７５）に設けられる吸込口（６，２６，３６，４６，５６，６６，７６）と、
運転停止時に前記吸込口（６，２６，３６，４６，５６，６６，７６）を塞ぐ可動パネル（７，２７，３７，４７，５７，６７，７７）と、
前記可動パネル（７，２７，３７，４７，５７，６７，７７）を移動あるいは回転させる駆動手段（１０）と、
を備え、
運転時に前記可動パネル（７，２７，３７，４７，５７，６７，７７）が、移動あるいは回転して前記下面パネル（５，２５，３５，４５，５５，６５，７５）の下面よりも上方へ引っ込む、
空気調和装置の室内機（１，２１，３１，４１，５１，６１，７１）。
【請求項２】
前記吸入口（２６）から空気を吸入する送風機（１１）と、
前記吸入口（２６）から吸入された空気中の塵埃を除去するためのフィルタ（９）と、
をさらに備え、
前記フィルタ（９）は、前記可動パネル（２７）と連結され、前記可動パネル（２７）の移動に伴って、予め設定されている前記フィルタ（９）の装着位置へ移動する、
請求項１に記載の空気調和装置の室内機（２１）。
【請求項３】
前記可動パネル（３７，４７）は、複数の小型可動パネル（３７ａ〜３７ｅ、４７ａ〜４７ｅ）で形成され、
運転時に、前記複数の小型可動パネル（３７ａ〜３７ｅ、４７ａ〜４７ｅ）が移動し、前記下面パネル（３５，４５）の下面よりも上方でピラミッド型に並ぶ、
請求項１に記載の空気調和装置の室内機（３１，４１）。
【請求項４】
前記可動パネル（５７，６７）は、少なくとも第１可動パネル（５８，６８）と第２可動パネル（５９，６９）とで形成され、
運転時に、前記第１可動パネル（５８，６８）と前記第２可動パネル（５９，６９）とが回転して、前記下面パネル（５５，６５）の下面よりも上方に向かって開く、
請求項１に記載の空気調和装置の室内機（５１，６１）。
【請求項５】
前記下面パネル（７５）に設けられる吹出口（７８）と、
運転停止時に前記吹出口（７８）を塞ぐ第２可動パネル（７９）と、
をさらに備え、
運転時に、前記第１可動パネル（７７）が移動あるいは回転して前記下面パネル（７５）の下面よりも上方へ引っ込み、
運転時に、前記第２可動パネル（７９）が移動あるいは回転して前記吹出口（７８）から離れる、
請求項１に記載の空気調和装置の室内機（７１）。
【請求項６】
運転時に、前記第２可動パネル（７９）が前記下面パネル（７５）の中心方向へ平行移動する、
請求項５に記載の空気調和装置の室内機（７１）
【請求項７】
前記駆動手段（１０）は、モータ（１０ａ）を駆動源としている、
請求項１に記載の空気調和装置の室内機（１，２１，３１，４１，５１，６１，７１）。
【請求項８】
前記下面パネル（５，２５，３５，４５，５５，６５，７５）と、前記駆動手段（１０）とが、１つの組立体である、
請求項１に記載の空気調和装置の室内機（１，２１，３１，４１，５１，６１，７１）。
【発明の詳細な説明】
【技術分野】
【０００１】
本発明は、空気の吸込口が室内機の下面に設けられる天井埋込型又は天井吊下型の空気調和装置の室内機に関する。
【背景技術】
【０００２】
一般に天井に設置される空気調和装置の室内機は、室内機の下面を構成する下面パネルを備えている。下面パネルには、空気を吸い込むための吸込口が設けられ、この吸込口に塵埃除去用のフィルタが装着されている（たとえば、特許文献１参照）。
【特許文献１】特開平１０−３９９４６８号公報
【発明の開示】
【発明が解決しようとする課題】
【０００３】
ところで、下面パネルは、人目に触れ易いものであり、ユーザー側にとって、下面パネルの意匠は、商品を選択する上で重要な条件となる。しかしながら、メーカー側にとっては、吸込口やフィルタの基本機能を損なわないように下面パネルの設計を行う必要があり、下面パネルの意匠は、常に制限をうけている。
本発明の課題は、従来の下面パネルと比べて、意匠の自由度を向上させた、天井埋込型又は天井吊下型の空気調和装置の室内機を提供することにある。
【課題を解決するための手段】
【０００４】
第１発明に係る空気調和装置の室内機は、天井埋込型又は天井吊下型の空気調和装置の室内機であって、下面パネルと、吸込口と、可動パネルと、駆動手段とを備えている。吸込口は、下面パネルに設けられている。運転停止時、吸込口は可動パネルによって塞がれている。駆動手段は、可動パネルを移動あるいは回転させる。運転時に可動パネルが、移動あるいは回転して下面パネルの下面よりも上方へ引っ込む。
この室内機では、運転停止時は、可動パネルが吸込口を閉じている。このため、開口のない平面部の割合が増加し、下面パネルの意匠の自由度が向上する。
【０００５】
第２発明に係る空気調和装置の室内機は、第１発明に係る空気調和装置の室内機であって、送風機とフィルタとをさらに備えている。送風機は空気を吸込口から吸入し、フィルタは、吸込口から吸入された空気中の塵埃を除去する。フィルタは、可動パネルと連結されており、可動パネルの移動に伴って、予め設定されているフィルタの装着位置へ移動する。
この室内機では、フィルタと可動パネルが、一つのユニットとして組み立てられる。このため、フィルタの取外しが容易になり、フィルタのメンテナンス性が向上する。
【０００６】
第３発明に係る空気調和装置の室内機は、第１発明に係る空気調和装置の室内機であって、可動パネルが複数の小型可動パネルで形成され、運転時に複数の小型可動パネルが移動し、下面パネルの下面よりも上方へ引っ込み、ピラミッド型に並ぶ。
この室内機では、運転停止時は、可動パネルが吸込口を閉じている。このため、開口のない平面部の割合が増加し、下面パネルの意匠の自由度が向上する。また、吸込口の開状態と閉状態によって、可動パネルの配置形態が変化するので、意匠が変化するという視覚効果をもって商品の差別化が行われる。このため、市場での訴求力が助長される。
【０００７】
第４発明に係る空気調和装置の室内機は、第１発明に係る空気調和装置の室内機であって、可動パネルが少なくとも第１可動パネルと第２可動パネルとで形成されており、運転時に、第１可動パネルと前記第２可動パネルとが回転して、下面パネルの下面よりも上方へ引っ込む。
この室内機では、運転停止時は、可動パネルが吸込口を閉じている。このため、開口のない平面部の割合が増加し、下面パネルの意匠の自由度が向上する。また、吸込口の開状態と閉状態によって、可動パネルの配置形態が変化するので、意匠が変化するという視覚効果をもって商品の差別化が行われる。このため、市場での訴求力が助長される。
【０００８】
第５発明に係る空気調和装置の室内機は、第１発明に係る空気調和装置の室内機であって、吹出口と、第２可動パネルとをさらに備えている。運転停止時、吸込口は第１可動パネルによって塞がれ、同じく運転停止時、吹出口は第２可動パネルによって塞がれている。駆動手段は、第１可動パネルおよび第２可動パネルを移動あるいは回転させる。運転時に、第１可動パネルが移動あるいは回転して下面パネルの下面よりも上方へ引っ込む。同じく運転時に、第２可動パネルが移動あるいは回転して吹出口から離れる。
【０００９】
この室内機では、運転停止時、吸込口と吹出口がともに閉じて、パネルは、開口のないフラットな面となる。このため、開口のない平面部の割合が増加し、下面パネルの意匠の自由度が向上する。また、吸込口、吹出口の開状態と閉状態によって、可動パネルの配置形態が変化するので、意匠が変化するという視覚効果をもって商品の差別化が行われる。このため、市場での訴求力が助長される。
【００１０】
第６発明に係る空気調和装置の室内機は、第５発明に係る空気調和装置の室内機であって、運転時に、第２可動パネルが下面パネルの中心方向へ平行移動する。
この室内機では、第２可動パネルが吸込口に沿って移動し、吸込口に収納されるので、第２可動パネルを収納する空間を新設する必要がない。
第７発明に係る空気調和装置の室内機は、第１発明、第３発明、第４発明および第５発明のいずれか１つに係る空気調和装置の室内機であって、駆動手段が、モータを駆動源としている。
この室内機では、駆動手段が小型となり、ケーシング内への収納が容易になる。このため、設計の自由度、意匠の自由度が向上する。
【００１１】
第８発明に係る空気調和装置の室内機は、第１発明、第３発明、第４発明および第５発明のいずれか１つに係る空気調和装置の室内機であって、下面パネルと駆動手段とが、一組の組立体である。
【００１２】
この室内機では、下面パネルと駆動手段とを同時に交換できるようになり、設置後でも、ユーザーの要望次第で、可動式、固定式の選択が可能であり、サービス性が向上する。
【発明の効果】
【００１３】
第１発明に係る空気調和装置の室内機では、運転停止時、可動パネルが吸込口を閉じている。このため、開口のない平面部の割合が増加し、下面パネルの意匠の自由度が向上する。
第２発明に係る空気調和装置の室内機では、フィルタの取外しが容易になり、フィルタのメンテナンス性が向上する。
【００１４】
第３発明、第４発明および第５発明に係る空気調和装置の室内機では、開口のない平面部の割合が増加し、下面パネルの意匠の自由度が向上する。また、意匠が変化するという視覚効果をもって商品の差別化が行われるので、市場での訴求力が助長される。
第６発明に係る空気調和装置の室内機は、第２可動パネルは、吸込口に沿って移動し吸込口に収納されるので、第２可動パネルを収納する空間を新設する必要がない。
【００１５】
第７発明に係る空気調和装置の室内機は、モータを駆動源としているので、駆動手段が小型となり、ケーシング内への収納が容易になる。
第８発明に係る空気調和装置の室内機は、少なくとも下面パネルと駆動手段とが、一組の組立体であり、設置後でもユーザーの要望次第で、可動式、固定式の選択が可能であり、サービス性が向上する。
【発明を実施するための最良の形態】
【００１６】
〔第１実施形態〕
＜室内機１の構成＞
本発明の第１実施形態に係る室内機の外観斜視図を図１に示す。室内機１のケーシング２は、ケーシング上部３とケーシング下部４から成り、設置時に天井に埋設される。なお、ケーシング下部４の一部は天井から露出しており、この部分を下面パネル５と呼んでいる。下面パネル５には、空気が吸い込まれる吸込口６、空気が吹き出される吹出口４ｄが設けられている。
【００１７】
可動パネル７は、室内機１が停止しているときは、吸込口６を完全に塞いでおり、吸込口６は露出しない。図２は可動パネル７の動作ブロック図であり、可動パネル７は、ケーシング２内部に設置されている駆動手段１０によって、ケーシング２内部へ移動できる。制御部１３は、駆動手段１０を制御して可動パネル７を移動あるいは回転させる。可動パネル７の位置情報は、位置検知手段１４によって検出され、制御部１３に送信される。
【００１８】
図３（ａ）は、第１実施形態に係る室内機の運転停止時における断面図であり、図３（ｂ）は、同室内機の運転時における断面図である。図３に示すように、ケーシング上部３とケーシング下部４とは、接合面３ａにおいて連結されている。ケーシング下部４には、風路４ａ、フランジ４ｂ、内枠４ｃが設けられており、風路４ａは、空気が吹出されるときの通路となり、吹出口４ｄとつながっている。フランジ４ｂは、ケーシング２が天井に埋設される際に、天井面に接することによって、ケーシング２の位置決めとなり、さらに、フランジ４ｂは、天井に設けられた施工孔とケーシング２との隙間を覆い、施工孔が天井面から露出しないようにしている。内枠４ｃは、可動パネル７、後述のフィルタ９などが収納される空間を形成している。
【００１９】
フィルタ９は、ケーシング２内部に収納され、吸込口６から吸入された空気中の塵埃を除去する。フィルタ９は、フィルタエレメント９ａと、フィルタフレーム９ｂとで形成されている。フィルタエレメント９ａは、空気中の塵埃を除去し、フィルタフレーム９ｂは、フィルタエレメント９ａを保持した状態で、ケーシング下部４の内枠４ｃに予め設けられた装着位置に支持されている。また、フィルタ９には、後述のワイヤ１０ｂが通る孔９ｃが必要に応じて設けられる。
【００２０】
駆動手段１０は、モータ１０ａと、ワイヤ１０ｂと、複数の滑車１０ｃと、複数のフック１０ｄとで構成され、可動パネル７を移動させる。モータ１０ａは、ケーシング下部４内の空間に収納されている。ワイヤ１０ｂは、適正強度を有する直径１ｍｍ程度のロープであり、その一端はモータ１０ａの回転部に連結され、他端はフック１０ｄによって、可動パネル７に連結されている。ワイヤ１０ｂは、モータ１０ａの駆動力が減衰することなく伝達されるように、複数の箇所で滑車１０ｃによって支持されている。フック１０ｄの設置箇所は、可動パネル７の形状に応じて任意に設定できる。
【００２１】
送風機１１は、ケーシング上部３内に配置されている。送風機１１は、遠心式の送風機であり、羽根車１１ａと、羽根車１１ａを回転させるモータ１１ｂと、吸入した空気を集合させるベルマウス１１ｃとで構成されている。送風機１１は、吸込口６からケーシング２内へ空気を吸入して、外周方向へ吹きだす。吹出された空気は、風路４ａを経て吹出口４ｄから出て行く。
【００２２】
熱交換器１２は、ケーシング上部３内の基部３ｂに保持された状態で、送風機１１の外周を囲むように配置されており、前述の風路４ａの入口が、熱交換器１２に隣接して配置されている。
＜可動パネル７の動作＞
空気調和装置の室内機１が運転を停止しているときは、可動パネル７は、吸込口６の開口を完全に塞いでおり、下面パネル５上には、可動パネル７との境界線が見えるだけである。室内機１が運転を開始するとき、運転開始に先立ち、モータ１０ａが回転し、ワイヤ１０ｂが巻き取られ、可動パネル７がケーシング下部４の内部へ引き上げられる。なお、制御部１３（図２参照）は、可動パネル７が所定の高さまで上昇したことを、位置検知手段１４（図２参照）によって検知し、モータ１０ａを停止する。
【００２３】
可動パネル７が停止した後、送風機１１の運転が開始され、開かれた吸込口６から空気が吸い込まれる。空気は、フィルタ９によって塵埃を除去された後、送風機１１に取り込まれ、外周方向に吹出される。吹出された空気は、熱交換器１２を通過することによって熱交換を行う。熱交換器１２を通過した空気は、風路４ａを通過して、吹出口４ｄから吹出される。
【００２４】
室内機１の運転が停止したときは、モータ１０ａが逆回転し、ワイヤ１０ｂは緩められ、可動パネル７が降下し、吸込口６を閉じる。なお、制御部１３（図２参照）は、可動パネル７が吸込口６に到達したことを、位置検知手段１４（図２参照）によって検知し、モータ１０ａを停止する。
＜第１実施形態の特徴＞
この室内機１は、天井埋込型の空気調和装置の室内機であって、下面パネル５と、吸込口６と、可動パネル７と、駆動手段１０とを備えている。下面パネル５は、天井面から露出しており、吸込口６が設けられている。運転停止時、吸込口６は可動パネル７によって塞がれている。駆動手段１０は、可動パネル７を移動あるいは回転させる。運転時に可動パネル７が、移動して下面パネル５の下面よりも上方へ引っ込む。
【００２５】
この室内機１では、運転停止時に吸込口６が塞がれて平面を成すので開口のない平面部の割合が増加し、下面パネル５の意匠の自由度が向上する。また、下面パネル５の造形が、フィルタ９によって制限をうけることがほとんどなく、下面パネル５の意匠の自由度が向上する。さらに、フィルタ９が人目に触れない位置にあるので、フィルタ９の汚れなどによって、下面パネル５の外観が損なわれることがない。また、可動パネル７が、下面パネル５から突出することなく移動するので、下面パネル５の外観が損なわれることはない。
【００２６】
〔第２実施形態〕
＜室内機２１の構成＞
次に、本発明の第２実施形態について説明する。なお、第１実施形態と構成要件が同じ部分は、同一符号を付し、説明は省略する。図４（ａ）は、第２実施形態に係る室内機の運転停止時における断面図であり、図４（ｂ）は、同室内機の運転時における断面図である。
【００２７】
下面パネル２５には、空気が吸い込まれる吸込口２６、空気が吹き出される吹出口４ｄが設けられている。可動パネル２７は、室内機２１が停止しているときは、吸込口２６を完全に塞いでおり、吸込口２６は露出しない。
可動パネル２７とフィルタ９とは、連結棒２７ａによって、所定の間隔を保って連結されている。ワイヤ１０ｂは、フィルタ９に取り付けられたフック１０ｄから鉛直上方に延び、複数の滑車１０ｃを経由してモータ１０ａへ導かれている。
【００２８】
＜可動パネル２７の動作＞
運転開始に先立ち、モータ１０ａが回転し、ワイヤ１０ｂが巻き取られ、可動パネル２７がケーシング下部４内部へ引き上げられる。可動パネル２７とフィルタ９は、所定の高さまで上昇すると、フィルタ９のフィルタフレーム９ｂがフィルタ装着位置の装着面４ｅに当たる。このとき、制御部１３は、可動パネル２７が所定の高さまで上昇したことを位置検知手段１４によって検知し、モータ１０ａを停止する。
【００２９】
室内機２１の運転が停止したときは、モータ１０ａが逆回転し、ワイヤ１０ｂは緩められ、可動パネル２７とフィルタ９が降下し、吸込口２６は可動パネル２７によって塞がれる。なお、制御部１３は、可動パネル２７が吸込口２６に到達したことを位置検知手段１４によって検知し、モータ１０ａを停止する。
＜第２実施形態の特徴＞
この室内機２１では、フィルタ９が、可動パネル２７と連結され、可動パネル２７の移動に伴って、予め設定されているフィルタ９の装着位置４ｅへ移動する。この室内機２１では、フィルタ９と可動パネル２７が、一つのユニットとして組み立てられているので、フィルタ９の取外しが容易になり、フィルタ９のメンテナンス性が向上する。
【００３０】
〔第３実施形態〕
＜室内機３１の構成＞
次に、本発明の第３実施形態について説明する。なお、第１実施形態と構成要件が同じ部分は、同一符号を付し、説明は省略する。図５（ａ）は、第３実施形態に係る室内機の運転停止時における断面図であり、図５（ｂ）は、同室内機の運転時における断面図である。
【００３１】
下面パネル３５には、空気が吸い込まれ吸込口３６、空気が吹き出される吹出口４ｄが設けられている。可動パネル３７は、室内機３１が停止しているときは、吸込口３６を完全に塞いでおり、吸込口３６は露出しない。
可動パネル３７は、複数の板状の小型可動パネル３７ａ〜３７ｅで形成されている。また、小型可動パネル３７ａ〜３７ｅは、ガイド３９によって鉛直方向の移動は許容されているが、水平方向の移動は許容されていない。
【００３２】
図５（ａ）において、小型可動パネル３７ａの右端と小型可動パネル３７ｂの左端とは、ガイド３９で保持されており、小型可動パネル３７ａは、小型可動パネル３７ｂに対して、ガイド３９の高さ分だけ鉛直方向に移動できる。
小型可動パネル３７ｂの右端と小型可動パネル３７ｃの左端は、ガイド３９で保持されており、小型可動パネル３７ｂは、小型可動パネル３７ｃに対して、ガイド３９の高さ分だけ鉛直方向に移動できる。
【００３３】
小型可動パネル３７ｃの右端と小型可動パネル３７ｄの左端は、ガイド３９で保持されており、小型可動パネル３７ｄは、小型可動パネル３７ｃに対して、ガイド３９の高さ分だけ鉛直方向に移動できる。
小型可動パネル３７ｄの右端と小型可動パネル３７ｅの左端は、ガイド３９で保持されており、小型可動パネル３７ｅは、小型可動パネル３７ｄに対して、ガイド３９の高さ分だけ鉛直方向に移動できる。
ワイヤ１０ｂは、小型可動パネル３７ａ，３７ｅに取り付けられたフック１０ｄから鉛直上方に延び、複数の滑車１０ｃを経由してモータ１０ａへ導かれている。
【００３４】
＜可動パネル３７の動作＞
運転開始に先立ち、モータ１０ａが回転し、ワイヤ１０ｂが巻き取られ、小型可動パネル３７ａ，３７ｅがケーシング下部４内部へ引き上げられる。小型可動パネル３７ａ，３７ｅが、ガイド３９の高さ分上昇すると、小型可動パネル３７ｂ，３７ｄが上昇し始め、ガイド３９の高さ分だけ上昇する。このとき、小型可動パネル３７ａ，３７ｅの上昇高さがガイド３９の高さ２つ分になったことを、制御部１３が位置検知手段１４によって検知しモータ１０ａを停止する。これによって、小型可動パネル３７ｃを中心に、他の小型可動パネル３７ａ，３７ｂ，３７ｄ，３７ｅが、下方に凸状のピラミッド型に配列されて、吸込口３６が開かれる。
【００３５】
室内機３１の運転が停止したときは、モータ１０ａが逆回転し、ワイヤ１０ｂは緩められ、先に小型可動パネル３７ｂ，３７ｄがガイド３９の高さ分を降下し、吸込口３６へ到達し、そのあと、小型可動パネル３７ａ，３７ｅが、さらにガイド３９の高さ分を降下して、吸込口３６へ到達する。このとき、制御部１３は、小型可動パネル３７ａ、３７ｅが吸込口３６に到達したことを、位置検知手段１４によって検知しモータ１０ａを停止する。このようにして、吸込口３６が塞がれる。
【００３６】
＜第３実施形態の特徴＞
この室内機３１では、可動パネル３７が、複数の小型可動パネル３７ａ〜３７ｅで形成されている。複数の小型可動パネル３７ａ〜３７ｅが、吸込口３６上に横並びに配列されることによって、吸込口３６が塞がれる。運転時は、駆動手段１０が、両端にある小型可動パネル３７ａ，３７ｅを先に上昇させ、その次に小型可動パネル３７ｄ，３７ｅを上昇させることによって、小型可動パネル３７ａ〜３７ｅは、下方に凸状のピラミッド型に配列され、吸込口３６が開く。
【００３７】
この室内機３１では、運転停止時に吸込口３６が塞がれて平面を成すので開口のない平面部の割合が増加し、下面パネル３５の意匠の自由度が向上する。また、吸込口３６の開状態と閉状態によって、可動パネル３７の配置形態が変化するので、意匠が変化するという視覚効果をもって商品の差別化が行われる。このため、市場での訴求力が助長される。また、可動パネル３７が、下面パネル３５から突出することなく移動するので、下面パネル３５の外観が損なわれることはない。
【００３８】
〔第４実施形態〕
＜室内機４１の構成＞
次に、本発明の第４実施形態について説明する。なお、第１実施形態と構成要件が同じ部分は、同一符号を付し、説明は省略する。図６（ａ）は、第４実施形態に係る室内機の運転停止時における断面図であり、図６（ｂ）は、同室内機の運転時における断面図である。
【００３９】
下面パネル４５には、空気が吸い込まれる吸込口４６、空気が吹き出される吹出口４ｄが設けられている。可動パネル４７は、室内機４１が停止しているときは、吸込口４６を完全に塞いでおり、吸込口４６は露出しない。
可動パネル４７は、複数の板状の小型可動パネル４７ａ〜４７ｅで形成されており、小型可動パネル４７ａ〜４７ｅは、ガイド４９によって、鉛直方向の移動は許容されているが、水平方向の移動は許容されていない。
ワイヤ１０ｂは、小型可動パネル４７ｃに取り付けられたフック１０ｄから鉛直上方に延び、複数の滑車１０ｃを経由してモータ１０ａへ導かれている。
【００４０】
＜可動パネル４７の動作＞
運転開始に先立ち、モータ１０ａが回転し、ワイヤ１０ｂが巻き取られ、小型可動パネル４７ｃがケーシング下部４内部へ引き上げられる。先に、小型可動パネル４７ｃが、ガイド４９の高さ分上昇し、続いて、小型可動パネル４７ｂ、４７ｄが、ガイド４９の高さ分だけ上昇する。このとき、小型可動パネル４７ｃの上昇高さは、ガイド４９の高さ２つ分である。この時点では、小型可動パネル４７ａ，４７ｅがまだ上昇していないので、モータ１０ａは、さらに回転し小型可動パネル４７ａ，４７ｅを上昇させる。
【００４１】
制御部１３は、小型可動パネル４７ｃが所定高さまで上昇したことを位置検知手段１４によって検知し、モータ１０ａを停止する。これによって、小型可動パネル４７ｃを中心に、他の小型可動パネル４７ａ，４７ｂ，４７ｄ，４７ｅが、上に凸のピラミッド型に配列されて、吸込口４６が開かれる。
室内機４１の運転が停止したときは、モータ１０ａが逆回転し、ワイヤ１０ｂは緩められ、先に小型可動パネル４７ａ，４７ｅが降下して吸込口４６へ到達し、そのあと、小型可動パネル４７ｂ，４７ｄが、ガイド４９の高さ分を降下して吸込口４６へ到達し、さらに小型可動パネル４７ｃが、ガイド４９の高さ分を降下し吸込口へ到達する。このとき、制御部１３は、小型可動パネル４７ｃが吸込口４６に到達したことを位置検知手段１４によって検知し、モータ１０ａを停止する。このようにして、吸込口４６が閉じられる。
【００４２】
＜第４実施形態の特徴＞
この室内機４１では、可動パネル４７が、複数の小型可動パネル４７ａ〜４７ｅで形成されている。複数の小型可動パネル４７ａ〜４７ｅが、吸込口４６上に横並びに配列されることによって、吸込口４６が塞がれる。運転時は、駆動手段１０が、可動パネル４７の中央にある小型可動パネル４７ｃを先に上昇させ、その次に小型可動パネル４７ｂ，４７ｄを上昇させ、最後に小型可動パネル４７ａ、４７ｅを上昇させることによって、小型可動パネル４７ａ〜４７ｅが、上に凸状のピラミッド型に配列され、吸込口４６が開く。
【００４３】
この室内機４１では、運転停止時に吸込口４６が塞がれて平面を成すので開口のない平面部の割合が増加し、下面パネル４５の意匠の自由度が向上する。また、吸込口４６の開状態と閉状態によって、可動パネル４７の配置形態が変化するので、意匠が変化するという視覚効果をもって商品の差別化が行われる。このため、市場での訴求力が助長される。また、可動パネル４７が、下面パネル４５から突出することなく移動するので、下面パネル４５の外観が損なわれることはない。
【００４４】
〔第５実施形態〕
＜室内機５１の構成＞
次に、本発明の第５実施形態について説明する。なお、第１実施形態と構成要件が同じ部分は、同一符号を付し、説明は省略する。図７（ａ）は、第５実施形態に係る室内機の運転停止時における断面図であり、図７（ｂ）は、同室内機の運転時における断面図である。
【００４５】
下面パネル５５には、空気が吸い込まれる吸込口５６、空気が吹き出される吹出口４ｄが設けられている。可動パネル５７は、室内機５１が停止しているときは、吸込口５６を完全に塞いでおり、吸込口５６は露出しない。
可動パネル５７は、第１可動パネル５８と、第２可動パネル５９で形成されており、第１可動パネル５８と第２可動パネル５９とは、ケーシング２内の方向への回転が可能である。
【００４６】
図７（ａ）において、第１可動パネル５８の左端は、ヒンジ機構によって吸込口５６の左端に回転可能な状態で支持されており、同様に、第２可動パネル５９の右端は、ヒンジ機構によって吸込口５６の右端に回転可能な状態で支持されている。第１可動パネル５８の右端と第２可動パネル５９の左端とは、吸込口５６上で対峙して吸込口５６を塞いでいる。
ワイヤ１０ｂは、第１可動パネル５８と、第２可動パネル５９の自由端側に取り付けたフック１０ｄから鉛直上方に延び、複数の滑車１０ｃを経由してモータ１０ａへ導かれている。
【００４７】
＜可動パネル５７の動作＞
運転開始に先立ち、モータ１０ａが回転し、ワイヤ１０ｂが巻き取られ、第１可動パネル５８と、第２可動パネル５９との自由端がケーシング下部４内部へ引き上げられる。これによって、第１可動パネル５８が、左端５８ａを軸にして、反時計方向に回転する。同様に、第２可動パネル５９が、右端５９ａを軸にして、時計方向に回転する。
【００４８】
制御部１３は、第１可動パネル５８と第２可動パネル５９とが、ほぼ９０度回転したことを位置検知手段１４によって検知し、モータ１０ａを停止する。これによって、第１可動パネル５８と第２可動パネル５９とが、観音開き状に移動し吸込口５６が開かれる。
室内機５１の運転が停止したときは、モータ１０ａが逆回転し、ワイヤ１０ｂは緩められ、第１可動パネル５８と、第２可動パネル５９との自由端が吸込口５６の方向へ降下する。これによって、第１可動パネル５８が、左端５８ａを軸にして時計方向に回転する。同様に、第２可動パネル５９が、右端５９ａを軸にして、反時計方向に回転する。
制御部１３は、第１可動パネル５８と第２可動パネル５９とが、吸込口５６へ到達したことを位置検知手段１４によって検知し、モータ１０ａを停止する。このようにして、吸込口５６が閉じられる。
【００４９】
＜第５実施形態の特徴＞
この室内機５１では、可動パネル５７が、第１可動パネル５８と第２可動パネル５９とで形成されている。第１可動パネル５８と第２可動パネル５９とは、ともに吸込口５６上に回転自在に配置されている。第１可動パネル５８と第２可動パネル５９とが、ともに吸込口５６上に横並びで配置されることによって吸込口５６が塞がれる。第１可動パネル５８と第２可動パネル５９とが、ともにケーシング下部４内部に向かって回転することによって吸込口５６が開かれる。
【００５０】
この室内機５１では、運転停止時に吸込口５６が塞がれて平面を成すので開口のない平面部の割合が増加し、下面パネル５５の意匠の自由度が向上する。また、吸込口５６の開状態と閉状態によって、可動パネル５７の配置形態が変化するので、意匠が変化するという視覚効果をもって商品の差別化が行われる。このため、市場での訴求力が助長される。また、第１可動パネル５８、第２可動パネル５９が、下面パネル５５から突出することなく移動するので、下面パネル５５の外観が損なわれることはない。
【００５１】
〔第６実施形態〕
＜室内機６１の構成＞
次に、本発明の第６実施形態について説明する。なお、第１実施形態と構成要件が同じ部分は、同一符号を付し、説明は省略する。図８（ａ）は、第６実施形態に係る室内機の運転停止時における断面図であり、図８（ｂ）は、同室内機の運転時における断面図である。
【００５２】
下面パネル６５には、空気が吸い込まれる吸込口６６、空気が吹き出される吹出口４ｄが設けられている。
可動パネル６７は、室内機６１が停止しているときは、吸込口６６を完全に塞いでおり、吸込口６６は露出しない。
可動パネル６７は、第１可動パネル６８と、第２可動パネル６９とで形成されており、第１可動パネル６８と第２可動パネル６９とは、ケーシング２内の方向への回転が可能である。
【００５３】
図８（ａ）において、第１可動パネル６８の右端６８ａと、第２可動パネル６９の左端６９ａは、ヒンジ機構によって吸込口６６上に回転可能な状態で支持されている。
ワイヤ１０ｂは、第１可動パネル６８の左端６８ｂ、第２可動パネル６９の右端６９ｂから上方へ延び、複数の滑車１０ｃを経由してモータ１０ａへ導かれている。
【００５４】
＜可動パネル６７の動作＞
運転開始に先立ち、モータ１０ａが回転し、ワイヤ１０ｂが巻き取られ、第１可動パネル６８の左端６８ｂと、第２可動パネル６９の右端６９ｂとが、ケーシング下部４内部へ引き上げられる。これによって、第１可動パネル６８が、右端６８ａを軸にして時計方向に回転する。同様に、第２可動パネル６９が、左端６９ａを軸にして反時計方向に回転する。
制御部１３は、第１可動パネル６８と第２可動パネル６９とが９０度回転したことを位置検知手段１４によって検知し、モータ１０ａを停止する。これによって、第１可動パネル６８と第２可動パネル６９とが、折りたたまれるような動作で移動し、吸込口６６が開かれる。
室内機６１の運転が停止したときは、モータ１０ａが逆回転し、ワイヤ１０ｂは緩められ、第１可動パネル６８の左端６８ｂと、第２可動パネル６９の右端６９ｂが吸込口６６の方向に降下する。これによって、第１可動パネル６８が、右端６８ａを軸にして、反時計方向に回転する。同様に、第２可動パネル６９が、左端６９ａを軸にして、時計方向に回転する。
制御部１３は、第１可動パネル６８の左端６８ｂと第２可動パネル６９の右端６９ｂとが吸込口６６へ到達したことを位置検知手段１４によって検知し、モータ１０ａを停止する。このようにして、吸込口６６が塞がれる。
【００５５】
＜第６実施形態の特徴＞
この室内機６１では、可動パネル６７が、第１可動パネル６８と第２可動パネル６９とで形成されている。第１可動パネル６８と第２可動パネル６９とは、ともに吸込口６６上に回転自在に配置されている。第１可動パネル６８と第２可動パネル６９とが、ともに吸込口６６上に横並びで配置されることによって吸込口６６が塞がれる。第１可動パネル６８と第２可動パネル６９とが、ともにケーシング下部４内部に向かって回転することによって吸込口６６が開かれる。
【００５６】
この室内機６１では、運転停止時に吸込口６６が塞がれて平面を成すので開口のない平面部の割合が増加し、下面パネル６５の意匠の自由度が向上する。また、吸込口６６の開状態と閉状態によって、可動パネル６７の配置形態が変化するので、意匠が変化するという視覚効果をもって商品の差別化が行われる。このため、市場での訴求力が助長される。また、第１可動パネル６８、第２可動パネル６９が、下面パネル６５から突出することなく移動するので、下面パネル６５の外観が損なわれることはない。
【００５７】
〔第７実施形態〕
＜室内機７１の構成＞
次に、本発明の第７実施形態について説明する。なお、第１実施形態と構成要件が同じ部分は、同一符号を付し、説明は省略する。図９（ａ）は、第７実施形態に係る室内機の運転停止時における断面図であり、図９（ｂ）は、同室内機の運転時における断面図である。
【００５８】
下面パネル７５には、空気が吸い込まれる吸込口７６、空気が吹き出される吹出口７８が設けられている。室内機７１が停止しているときは、第１可動パネル７７が吸込口７６を塞ぎ、第２可動パネル７９が吹出口７８を塞ぐので、吸込口７６、吹出口７８は下面パネル７５から露出しない。
第１可動パネル７７は、鉛直方向に移動することによって、吸込口７６を開閉する。第２可動パネル７９は、水平方向に移動することによって、吹出口７８を開閉する。
駆動手段１０は、モータ１０ａと、ワイヤ１０ｂと、複数の滑車１０ｃと、複数のフック１０ｄとを有し、第１可動パネル７７を移動させる。
さらに駆動手段１０は、もう１つのモータ１０ａと、ボールねじ１０ｅと、滑りねじ１０ｆ，１０ｇを有し、第２可動パネル７９を移動させる。
【００５９】
＜可動パネル７７，７９の動作＞
室内機７１が運転を停止しているとき、第１可動パネル７７は吸込口７６を塞いでおり、第２可動パネル７９は吹出口７８を塞いでいる。したがって、下面パネル７５上には、第１可動パネル７７の周縁、第２可動パネル７９の周縁が見えるだけである。
【００６０】
室内機７１が運転を開始するとき、運転開始に先立ち、モータ１０ａが回転し、ワイヤ１０ｂが巻き取られ、第１可動パネル７７がケーシング下部４内部へ引き上げられる。また、室内機７１が運転を開始するとき、運転開始に先立ち、もう１つのモータ１０ａがボールねじ１０ｅを回転させ、滑りねじ１０ｆと滑りねじ１０ｇを下面パネル７５の中心方向へ滑り移動させる。
【００６１】
図９（ａ）正面視において、滑りねじ１０ｆは左の第２可動パネル７９に連結されており、ボールねじ１０ｅが回転することによって左の第２可動パネル７９は右へ移動する。また、図９（ａ）正面視において、滑りねじ１０ｇは右の第２可動パネル７９に連結されており、ボールねじ１０ｅが回転することによって右の第２可動パネル７９は左へ移動する。なお、制御部１３は、第１可動パネル７７が所定の高さまで上昇したことを位置検知手段１４によって検知し、モータ１０ａを停止する。
【００６２】
さらに、制御部１３は、第２可動パネル７９が所定の位置まで移動したことを位置検知手段１４によって検知し、もう１つのモータ１０ａを停止する。
室内機７１の運転が停止したときは、モータ１０ａが逆回転し、ワイヤ１０ｂは緩められ、第１可動パネル７７が降下し、吸込口７６を閉じる。さらに、もう１つのモータ１０ａが逆回転し、図９（ａ）正面視において、ボールねじ１０ｅが逆回転することによって左の第２可動パネル７９は左へ移動し、右の第２可動パネル７９は右へ移動し、吹出口７８を閉じる。
なお、制御部１３は、第１可動パネル７７が吸込口７６に到達したことを位置検知手段１４によって検知し、モータ１０ａを停止する。さらに、制御部１３は、第２可動パネル７９が元の位置に達したことを位置検知手段１４によって検知し、もう１つのモータ１０ａを停止する。
【００６３】
＜第７実施形態の特徴＞
（１）
この室内機７１では、天井内に埋設されるケーシング２と、天井面から露出する下面パネル７５を備えている。下面パネル７５は、空気が吸い込まれる吸込口７６、空気が吹き出される吹出口７８が設けられている。駆動手段１０は、第１可動パネル７７を、下面パネル７５から突出させることなく、鉛直方向に移動させて吸込口７６を開閉し、さらに、駆動手段１０は、第２可動パネル７９を下面パネル７５から突出させることなく、水平方向へ移動させて吹出口７８を開閉する。フィルタ９は、ケーシング２内部に収納され、下面パネル７５から離れて配置されている。
【００６４】
この室内機７１では、運転停止時に吸込口７６、吹出口７８が塞がれて平面を成すので開口のない平面部の割合が増加し、下面パネル７５の意匠の自由度が向上する。また、第１可動パネル７７、第２可動パネル７９が、下面パネル７５から突出することなく移動するので、下面パネル７５の外観が損なわれることはない。また、下面パネル７５の造形が、フィルタ９によって制限をうけることがほとんどなく、下面パネル７５の意匠の自由度が向上する。さらに、フィルタ９が人目に触れない位置にあるので、フィルタ９の汚れなどによって下面パネル７５の外観が損なわれることがない。
【００６５】
＜他の実施形態＞
以上、本発明について説明したが、具体的な構成は、上記の実施形態に限られるものではなく、発明の要旨を逸脱しない範囲で変更可能である。
例えば、上記実施形態では、駆動手段１０を、モータ１０ａと、ワイヤ１０ｂと、滑車１０ｃとで構成しているが、モータとギアとで構成してもよい。
【産業上の利用可能性】
【００６６】
以上のように、本発明の室内機は、下面パネルの意匠の自由度を向上させたい天井埋込型又は天井吊下型の空気調和装置の室内機に有用である。
【図面の簡単な説明】
【００６７】
【図１】本発明の第１実施形態に係る室内機の外観斜視図。
【図２】同室外機の可動パネルの動作ブロック図。
【図３】（ａ）第１実施形態に係る室内機の運転停止時における断面図。        （ｂ）同室内機の運転時における断面図。
【図４】（ａ）第２実施形態に係る室内機の運転停止時における断面図。        （ｂ）同室内機の運転時における断面図。
【図５】（ａ）第３実施形態に係る室内機の運転停止時における断面図。        （ｂ）同室内機の運転時における断面図。
【図６】（ａ）第４実施形態に係る室内機の運転停止時における断面図。        （ｂ）同室内機の運転時における断面図。
【図７】（ａ）第５実施形態に係る室内機の運転停止時における断面図。        （ｂ）同室内機の運転時における断面図。
【図８】（ａ）第６実施形態に係る室内機の運転停止時における断面図。        （ｂ）同室内機の運転時における断面図。
【図９】（ａ）第７実施形態に係る室内機の運転停止時における断面図。        （ｂ）同室内機の運転時における断面図。
【符号の説明】
【００６８】
１,２１，３１，４１，５１，６１，７１  室外機
５,２５，３５，４５，５５，６５，７５  下面パネル
６,２６，３６，４６，５６，６６，７６  吸込口
７,２７，３７，４７，５７，６７  可動パネル
９  フィルタ
１０  駆動手段
１１  送風機
３７ａ，３７ｂ，３７ｃ，３７ｄ，３７ｅ  小型可動パネル
４７ａ，４７ｂ，４７ｃ，４７ｄ，４７ｅ  小型可動パネル
５８，６８，７７  第１可動パネル
５９，６９，７９  第２可動パネル
７８  吹出口
【図１】
2007285629.tif 000003
【図２】
2007285629.tif 000004
【図３】
2007285629.tif 000005
【図４】
2007285629.tif 000006
【図５】
2007285629.tif 000007
【図６】
2007285629.tif 000008
【図７】
2007285629.tif 000009
【図８】
2007285629.tif 000010
【図９】
2007285629.tif 000011